(57)【要約】【課題】ハウジング周りのスペースに制約がる場合であっても信号系ハーネスの噛み込みを防止可能な回転電機の組付方法を提供する。【解決手段】回転電機１０は、ロータ１１と、ステータ１２と、ロータ１１及びステータ１２を収容するハウジング１３と、ハウジング１３に設けられるウォータージャケット１８と、レゾルバ１６と、を備え、ハウジング１３には、コネクタ２１が設けられた信号系ハーネス２０と、配管接続部３１が設けられた冷却系配管３０と、が設けられる。コネクタ２１は、配管接続部３１よりもハウジング１３から離間して配置される。回転電機１０の組付方法は、冷却系配管３０の配管接続部３１への配管接続を行う配管接続工程Ｓ１と、配管接続工程Ｓ１後に、信号系ハーネス２０のコネクタ２１へのコネクタ接続作業を行うコネクタ接続工程Ｓ２と、を備える。【選択図】図１
2019004663.tif 000002
【特許請求の範囲】
【請求項１】
ロータと、
前記ロータと対向して配置されるステータと、
前記ロータ及び前記ステータを収容するハウジングと、
該ハウジングに設けられるウォータージャケットと、
前記ハウジングに配置されるセンサ装置と、を備える回転電機の組付方法であって、
前記ハウジングには、
一端部が前記センサ装置に接続され、他端部にコネクタが設けられた信号系ハーネスと、
一端部が前記ウォータージャケットに接続され、他端部に配管接続部が設けられた冷却系配管と、が設けられ、
前記コネクタは、前記配管接続部よりも前記ハウジングから離間して配置され、
前記組付方法は、
前記冷却系配管の前記配管接続部への配管接続を行う配管接続工程と、
該配管接続工程後に、前記信号系ハーネスの前記コネクタへのコネクタ接続作業を行うコネクタ接続工程と、を備える回転電機の組付方法。
【請求項２】
請求項１に記載の回転電機の組付方法であって、
前記冷却系配管を覆うように防音材を配置する防音材配置工程と、を備える、回転電機の組付方法。
【請求項３】
請求項２に記載の回転電機の組付方法であって、
前記防音材配置工程において、前記冷却系配管を跨いで前記防音材を前記ハウジングに固定する、回転電機の組付方法。
【請求項４】
請求項２又は３に記載の回転電機の組付方法であって、
前記回転電機には、回転電機制御装置が隣接して設けられ、
前記防音材配置工程において、前記防音材を前記ハウジングと前記回転電機制御装置の間に配置する、回転電機の組付方法。
【発明の詳細な説明】
【技術分野】
【０００１】
本発明は、ハウジング周りに信号系ハーネスと冷却系配管とが設けられた回転電機の組付方法に関する。
【背景技術】
【０００２】
一般的に、回転電機のハウジング周りは、様々なセンサから延びる信号系ハーネスとハウジングのウォータージャケットに接続される冷却系配管とが複雑に配置される。したがって、信号系ハーネスと冷却系配管とが交差する箇所は制約が多く他部材のレイアウトが困難となるとともに、冷却系配管の接続時に信号系ハーネスが邪魔になり、信号系ハーネスを噛み込んでしまう場合がある。
【０００３】
これに対し、特許文献１に記載の回転電機では、ハウジングから冷却系配管を離間させて、その間に信号系ハーネスを通すことが記載されている。
【先行技術文献】
【特許文献】
【０００４】
【特許文献１】特開２０１６−６７１５９号公報
【発明の概要】
【発明が解決しようとする課題】
【０００５】
しかしながら、特許文献１に記載の構成では、信号系ハーネスを通すためにハウジングから冷却系配管を離して配置する必要があり、スペースが必要となる。
【０００６】
本発明は、ハウジング周りのスペースに制約がる場合であっても信号系ハーネスの噛み込みを防止可能な回転電機の組付方法を提供することを目的とする。
【課題を解決するための手段】
【０００７】
上記目的を達成するための構成は、以下の態様に示すとおりである。なお、括弧内には、一例として後述の実施形態において対応する要素を示しているが、これに限定されるものではない。
【０００８】
（１）  ロータ（ロータ１１）と、
前記ロータと対向して配置されるステータ（ステータ１２）と、
前記ロータ及び前記ステータを収容するハウジング（ハウジング１３）と、
該ハウジングに設けられるウォータージャケット（ウォータージャケット１８）と、
前記ハウジングに配置されるセンサ装置（レゾルバ１６）と、を備える回転電機（回転電機１０）の組付方法であって、
前記ハウジングには、
一端部（一端部２０ａ）が前記センサ装置に接続され、他端部（他端部２０ｂ）にコネクタ（コネクタ２１）が設けられた信号系ハーネス（信号系ハーネス２０）と、
一端部（一端部３０ａ）が前記ウォータージャケットに接続され、他端部（他端部３０ｂ）に配管接続部（配管接続部３１）が設けられた冷却系配管（冷却系配管３０）と、が設けられ、
前記コネクタは、前記配管接続部よりも前記ハウジングから離間して配置され、
前記組付方法は、
前記冷却系配管の前記配管接続部への配管接続を行う配管接続工程（配管接続工程Ｓ１）と、
該配管接続工程後に、前記信号系ハーネスの前記コネクタへのコネクタ接続作業を行うコネクタ接続工程（コネクタ接続工程Ｓ２）と、を備える回転電機の組付方法。
【０００９】
（２）  （１）に記載の回転電機の組付方法であって、
前記冷却系配管を覆うように防音材（防音材４０）を配置する防音材配置工程と、を備える、回転電機の組付方法。
【００１０】
（３）  （２）に記載の回転電機の組付方法であって、
前記防音材配置工程において、前記冷却系配管を跨いで前記防音材を前記ハウジングに固定する、回転電機の組付方法。
【００１１】
（４）  （２）又は（３）に記載の回転電機の組付方法であって、
前記回転電機には、回転電機制御装置（回転電機制御装置５０）が隣接して設けられ、
前記防音材配置工程において、前記防音材を前記ハウジングと前記回転電機制御装置の間に配置する、回転電機の組付方法。
【発明の効果】
【００１２】
（１）によれば、センサ装置に接続される信号系ハーネスのコネクタが、ウォータージャケットに接続される冷却系配管の配管接続部よりもハウジングから離間して配置される。また、冷却系配管の配管接続部への配管接続を行う配管接続工程後に、信号系ハーネスのコネクタへのコネクタ接続作用を行うコネクタ接続工程が設けられるので、冷却系配管の接続時に信号系ハーネスが噛み込むことが防止される。
【００１３】
（２）によれば、冷却系配管を覆うように防音材を配置することで、防音材をハウジングと冷却系配管との間に潜り込ませる必要がなく、組付作業を容易にできる。
【００１４】
（３）によれば、冷却系配管を跨いで防音材をハウジングに固定することで、広い面積を覆うことができ防音効果に優れる。
【００１５】
（４）によれば、回転電機から発生した音が回転電機制御装置に反射して音が大きくなることを防止できる。
【図面の簡単な説明】
【００１６】
【図１】本発明の回転電機の組付方法に用いられる一実施形態の回転電機の模式図である。
【図２】図１に示す回転電機を具体化した回転電機の断面図である。
【図３】本発明に係る回転電機の組付方法のフロー図である。
【図４】変形例の回転電機の模式図である。
【図５】他の変形例の回転電機の模式図である。
【発明を実施するための形態】
【００１７】
以下、本発明の回転電機の組付方法を、添付図面に基づいて説明する。なお、図面は符号の向きに見るものとする。先ず、本発明の回転電機の組付方法に用いられる一実施形態の回転電機について図１及び図２に基づいて説明する。
【００１８】
本実施形態の回転電機１０は、ロータ１１と、ロータ１１の外周側にロータ１１に対向して配置されるステータ１２と、ロータ１１及びステータ１２を収容する円筒状のハウジング１３と、ロータ１１に一体回転するように取り付けられるロータシャフト１５と、ロータシャフト１５の角度を検出するレゾルバ１６と、を備える。ハウジング１３は、円筒状のハウジング本体１３ａとハウジング本体１３ａの一端側を覆うカバー１３ｂと、を備える。
【００１９】
レゾルバ１６は、カバー１３ｂに設けられた収容部１７に配置され、ロータシャフト１５に取り付けられたレゾルバロータ１６ａと、カバー１３ｂに取り付けられたレゾルバステータ１６ｂとが径方向で対向するように配置される。レゾルバ１６には、一端部２０ａがレゾルバステータ１６ｂに接続され、他端部２０ｂにコネクタ２１が設けられた信号系ハーネス２０が取り付けられている。
【００２０】
ハウジング本体１３ａは、内周面でステータ１２の外周部を保持するとともに、内部にステータ１２を外周側から冷却するウォータージャケット１８が形成されている。ハウジング本体１３ａには、一端部３０ａがウォータージャケット１８に接続され、他端部３０ｂに配管接続部３１が設けられた冷却系配管３０が取り付けられている。
【００２１】
ここで、コネクタ２１は、配管接続部３１よりもハウジング１３から離間して配置されている。即ち、コネクタ２１からハウジング１３の外周面までの距離Ｌ１は、配管接続部３１からハウジング１３の外周面までの距離Ｌ２よりも長くなっている。
【００２２】
次に、このように構成される回転電機１０の組付方法について図３を参照しながら説明する。
図３に示すように、回転電機１０の組付は、冷却系配管３０の配管接続部３１への配管接続を行う配管接続工程Ｓ１と、信号系ハーネス２０のコネクタ２１へのコネクタ接続作業を行うコネクタ接続工程Ｓ２と、を備え、コネクタ接続工程Ｓ２が配管接続工程Ｓ１の後となるように順序が規定されている。
【００２３】
これにより、配管接続工程Ｓ１において、冷却系配管３０の接続時に信号系ハーネス２０が噛み込むことが防止される。
【００２４】
以上説明したように、本実施形態の回転電機１０によれば、レゾルバ１６に接続される信号系ハーネス２０のコネクタ２１が、ウォータージャケット１８に接続される冷却系配管３０の配管接続部３１よりもハウジング１３から離間して配置される。また、冷却系配管３０の配管接続部３１への配管接続を行う配管接続工程Ｓ１後に、信号系ハーネス２０のコネクタ２１へのコネクタ接続作用を行うコネクタ接続工程Ｓ２が設けられるので、冷却系配管３０の接続時に信号系ハーネス２０が噛み込むことが防止される。
【００２５】
また、一般的に信号系ハーネス２０は可撓性を有するため、ハウジング１３周りのスペースに制約がある場合、即ち冷却系配管３０が配置された後のスペースが狭いであっても、比較的容易に接続作業を行うことができる。
【００２６】
続いて本実施形態の変形例について図４及び図５を参照しながら説明する。
本変形例の回転電機１０には、冷却系配管３０を覆う防音材４０が設けられている。また、図４に示すように、回転電機１０の上方には、回転電機１０を制御する、ＰＣＵ，インバータ等の回転電機制御装置５０が配置されている。
【００２７】
本変形例によれば、防音材４０が冷却系配管３０を覆うように設けられることで、防音材４０がハウジング１３と回転電機制御装置５０との間に位置することとなる。したがって、回転電機１０で発生した音の伝播を防音材４０で抑制することができ、回転電機１０で発生した音がＰＣＵ，インバータ等の回転電機制御装置５０に反射して音が大きくなるのを抑制できる。なお、防音材４０を配置する防音材配置工程は、図３において配管接続工程Ｓ１の後に行うことが好ましい。これにより、冷却系配管３０の配管接続部３１への配管接続時に防音材４０が噛み込むことを防止できる。なお、防音材配置工程は、配管接続工程Ｓ１の後であれば、コネクタ接続工程Ｓ２の前であってもよく、コネクタ接続工程Ｓ２の後であってもよい。
【００２８】
また、図５は、防音材４０が冷却系配管３０を跨いでハウジング１３に固定されたものである。このように、冷却系配管３０を跨いで防音材４０をハウジング１３に固定することで、広い面積を覆うことができ防音効果に優れる。
【００２９】
本変形例によれば、冷却系配管３０を覆うように防音材４０を配置することで、防音材４０をハウジング１３と冷却系配管３０との間に潜り込ませる必要がなく、組付作業を容易にできる。
【００３０】
また、冷却系配管３０を跨いで防音材４０をハウジング１３に固定することで、広い面積を覆うことができ防音効果に優れる。
【００３１】
尚、本発明は、前述した実施形態に限定されるものではなく、適宜、変形、改良、等が可能である。
【符号の説明】
【００３２】
１０    回転電機
１１    ロータ
１２    ステータ
１３    ハウジング
１６    レゾルバ
１８    ウォータージャケット
２０    信号系ハーネス
２０ａ    一端部
２０ｂ    他端部
２１    コネクタ
３０    冷却系配管
３０ａ    一端部
３０ｂ    他端部
３１    配管接続部
４０    防音材
Ｓ１    配管接続工程
Ｓ２    コネクタ接続工程
【図１】
2019004663.tif 000003
【図２】
2019004663.tif 000004
【図３】
2019004663.tif 000005
【図４】
2019004663.tif 000006
【図５】
2019004663.tif 000007